(57)【特許請求の範囲】
【請求項１】
粘性土を含む土と、草本または木本の破砕片とを含む材料を用いて地盤上に植物生育基盤を形成する方法であって、前記土と、団粒剤と、前記破砕片とを混合してなる混合物を得ること、次に、前記混合物を管で前記地盤上へ空気搬送し、前記地盤上に吹き付ける、植物生育基盤の形成方法。
【請求項２】
前記混合物は、前記土と前記破砕片とを混合した後、これらに前記団粒剤を混合することにより得る、請求項１に記載の方法。
【請求項３】
前記土は前記植物生育基盤の形成地における現地発生土からなる、請求項１に記載の方法。
【発明の詳細な説明】
【０００１】
【発明の属する技術分野】
本発明は、粘性土を含む土と、草本または木本の破砕片とを含む材料を用いて法面のような地盤面上に植物生育基盤を形成する方法に関する。
【０００２】
【従来の技術】
道路やダムの構築、宅地やゴルフ場の造成等のために山岳地帯や森林地帯を切り開いて形成された地形改造地における法面のような地盤面に緑化のための植物生育基盤を形成することが行われている。
【０００３】
植物生育基盤の形成は、その形成材料である土と、該土の補強材料としておよび後に腐熟してその改良材としての作用をなす草本または木本の破砕片との混合物を管に通して法面まで空気搬送し、該法面に吹き付けることにより行うことが考えられる。
【０００４】
ところで、地形改造地に形成される植物生育基盤の形成材料は、周辺植生との調和を図る上で、地形改造の際に生じた掘削土である表土や風化土すなわち現地発生土を含むことが望ましい。
【０００５】
しかし、現地発生土は、一般に、74μｍ以下の粒径を有する微細な土粒子成分（粘性土の成分）を多量（通常は70% 以上）に含む土からなり、これを管で空気搬送すると、搬送中に微粒成分が前記管の内周面に付着し、短時間の内に前記管の内腔が閉塞される。このため、一度に搬送することができる土の量が少なく、また、前記管の閉塞を解除するために多大の時間と労力とを要し、このために植物生育基盤の形成における作業能率が著しく低いという問題があった。
【０００６】
【発明が解決しようとする課題】
本発明の目的は、粘性土を含む土、特に植物生育基盤の形成地における現地発生土と、草本または木本の破砕片とを含むものを空気搬送して行う植物生育基盤の形成の能率向上を図ることにある。
【０００７】
【課題を解決するための手段】
本発明は、粘性土を含む土と、草本または木本の破砕片とを含む材料を用いて地盤上に植物生育基盤を形成する方法であって、前記土と、団粒剤と、前記破砕片とを混合してなる混合物を得た後、該混合物を管で前記地盤上へ空気搬送し、該地盤上に吹き付けることを特徴とする。前記混合物は、前記土と前記破砕片とを混合した後、これらに前記団粒剤を混合することにより得ることができる。前記土は、例えば、前記植物生育基盤の形成地における現地発生土からなる。
【０００８】
【作用および効果】
本発明によれば、植物生育基盤の形成地で得られる現地発生土のような、粘性土を含む土に団粒剤を添加し、これと混ぜ合わせることにより前記粘性土を構成する微細土粒子の一部または大部分を団粒化すること、例えば砂粒子大の多数の土粒子とすることができる。団粒化された土粒子を含む土は、団粒化を全く施さない土と比べて前記微細土粒子の量が実質的に少ない。また、前記団粒化のためには、前記土と前記破砕片とを混合した後、これらに前記団粒剤を混合することにより、これらの三者（土、破砕片および団粒剤）を一度に混合する場合と比べて、より良好に混合され、また、混合時間が短い。これは、団粒化された土粒子が長時間の混合の間に崩壊することを防止する上で好ましい。
【０００９】
したがって、従来と比べて、空気搬送の開始から前記微細土粒子による前記管の閉塞が生じるまでの時間を長くし、または、無限とすること（すなわち前記管の閉塞が生じないようにすること）ができ、これにより、一度に多量の土を搬送することができ、また、閉塞を解除するための労力および時間を軽減しまたは不要とすることができる。この間、前記土と共に前記草木の破砕片を多量に搬送することができる。
【００１０】
したがって、一般に粘性土の含有割合の高い現地発生土の空気搬送が可能であり、前記粘性土を含む土または前記現地発生土と前記破砕片とを含むものを土壌材料とする植物生育基盤の形成を容易にまた能率的に行うことができる。また、前記団粒化された土粒子は、団粒化されていない土粒子と比べて前記破砕片に付着しやすい。このため、前記土と前記破砕片とをこれら一体性を良好に維持しつつ前記管から放出することができ、前記土と良好な一体性を保持する前記破砕片は、形成される前記植物生育基盤中において前記土の良好な補強効果を付与する。これにより、雨等に対する侵食に強い植物生育基盤が得られる。また、前記良好な一体性により、放出の際のリバウンド量を低減することができる。
【００１１】
【発明の実施の形態】
本発明にあっては、まず、法面や平坦面のような地盤面上に形成される植物生育基盤の形成材料の一部をなす土すなわち粘性土を含む土に、団粒剤を添加し、また、草本の破砕片および木本の破砕片の少なくとも一方を加え、次いで、これらを混合して混合物を得る。その後、これらの混合物を前記地盤上まで、ホースのような管で空気搬送し、前記管の先端から前記混合物を前記地盤面に吹き付け、これにより植物生育基盤を形成する。
【００１２】
前記土は、典型的には、道路やダムの構築、宅地やゴルフ場の造成等の地形改造のために地盤を掘削して生じた表土や該表土下の風化土、または、表土および風化土を混合してなる混合土、すなわち現地発生土からなる。前記植物生育基盤は、前記地形改造地の地盤面の緑化のため、これに芝、花、野草、木等の植物の種子が播かれあるいは緑化植物が移植される。なお、必要に応じて、前記植物の種子を予め前記土に混ぜておき、前記混合物の吹き付けと共にその播種を完了することができる。
【００１３】
前記土と、前記団粒剤（例えばポリアクリルアミドのような水溶性高分子）とが混合されると、前記団粒剤の添加量に応じて、前記土の成分である粘性土を構成する微細な土粒子（７４μｍ以下の粒径の土粒子）の一部または大部分が前記団粒剤の作用により凝集（団粒化）され、砂状の大きさあるいはこれ以上の大きさの多数の土粒子の集合に変化する。これにより、前記土における前記微細土粒子の量または割合を実質的に減少させることができる。
【００１４】
団粒化された土粒子を含む前記土と、前記破砕片との混合物の空気搬送は、前記管にこれに接続された空気圧縮機から圧縮空気を供給し、該圧縮空気を搬送媒体として行う。
【００１５】
前記砂状に変化した土粒子は、前記微細土粒子と異なり、前記管内での空気による圧送下、前記管の内周面に付着することなく該管内を円滑に移動する。このため、団粒化された前記砂状の土粒子を含む前記土は前記管の内腔の閉塞を生じさせにくく、または、全く生じさせない。このことは、一般に粘性土の含有割合の高い現地発生土の空気搬送についても同様である。
【００１６】
したがって、前記土および前記破砕片の混合物の空気搬送の開始から前記管の内腔閉塞までの時間を長く、または、無限とすることができる。このため、従来と比べて、一度により多量の前記混合物を搬送することができ、また、前記管の閉塞が生じた場合の閉塞物である微細土粒子の排除に要する労力および時間を軽減し、または、不要とすることができる。その結果、前記粘性土を含む土または前記現地発生土を含有する前記混合物を土壌材料とする植物生育基盤の形成を容易かつ能率的に行うことができる。
【００１７】
前記団粒剤の添加量は任意に定めることができるが、好ましくは、前記土の重量に対して0.2%以上の重量とする。
【００１８】
実験によれば、約0.2 重量% の団粒剤の下では前記粘性土の量の約半分が団粒化され、また、この土を用いても前記管の内腔閉塞は生じなかった。
【００１９】
前記団粒剤の添加量を増大させると、前記微細土粒子の団粒化率（粘性土の全量に対する前記砂状に変化した粒子の量の割合）が増大するが、この団粒化率は比較的少量の団粒剤でほぼ100%となる。ほぼ100%の団粒化率を得るのに必要な前記団粒剤の添加量は、前記土が、分類上、粘性土に属する場合は約1.0 重量% 以上であり、また、砂質土に属する場合には約0.3 重量% であった。
【００２０】
前記土粒子の団粒化物は、さらにその複数個が前記団粒剤の線状高分子を介して次々に団粒化される高次団粒化により、さらに大きい重量を有するものと、これよりも小さい団粒化物とが互いに入り交じっているため、前記団粒化物を含む前記土を含有する前記混合物で形成された植物生育基盤は、空気や水分を保持しおよび植物の根が伸びるための適度な空隙を有し、植生に適した土壌構造を提供する。
【００２１】
団粒化された土粒子を含む前記土に混合される前記破砕片は、好ましくは、爪楊枝ないし割り箸大の大きさを有する。また、前記破砕片の前記土に対する混合割合は任意に設定することができる。一例をあげると、前記土の重量に対して２０％の重量（２０重量％）である。前記破砕片の原料である草木は、好ましくは、前記地形改造の際に伐採されまたは切り払われたものからなる。
【００２２】
前記団粒化された土粒子は、団粒化されない土粒子と比べて、前記破砕片に対する付着性がよい。このため、前記土とこれに混ぜ合わされた前記破砕片との一体性の程度が高く、前記管からの放出後において両者の分離が少ない。このことから、前記植物生育基盤においてもこれらの良好な一体関係が保持され、前記破砕片は前記土の良好な補強材として機能する。また、前記破砕片は、前記植物生育基盤中の種子、移植される植物の成長のための適当な空隙を作り、さらに経時的に腐熟して植物成長のための肥料（土壌改良材）となる。
【００２３】
前記草本（例えば雑草）の破砕片または前記木本（例えば樹木の幹、枝または根）の破砕片は、破砕装置、例えば、タブグラインダ（米国、バーミヤ社製）で破砕することにより得ることができる。
【００２４】
前記タブグラインダは、前記樹木の幹、枝等をその繊維の伸長方向へ引き裂きまたは剥ぎ取るようにして破砕するため、前記タブグラインダを用いて得られた破砕片は、比較的薄くかつ細長い形状を有する。薄く細長い破砕片はしなやかであるために破砕片同士が絡み合いやすい。破砕片相互の絡み合いは前記植物生育基盤の形態性の維持、したがって降雨等に対する耐侵食性を高めることに寄与する。
【００２５】
なお、土壌改良材としての肥料、接着剤等を前記混合物に混ぜて同時に空気搬送し、また、前記地盤に向けて吹き付けることができる。
【００２６】
前記土と、前記団粒剤と、前記破砕片との混合、あるいはこれらと前記肥料、接着剤、種子等との混合は、適当な混合装置、例えばパグミル形の攪拌羽根を有するいわゆるパグミル形ミキサを用いて行うことができる。
【００２７】
前記したように、前記土と、前記団粒剤と、前記破砕片とは、これらを同時に混合することもできるが、好ましくは、前記土と前記破砕片とを混合（このとき、通常は不要であるが、土が乾燥しているときは水を少し加える。）した後、これらに前記団粒剤を添加し、これらと混合する。前記団粒剤を最後に混合した方が全体的に良く攪拌され、また、前記団粒剤の混合時間をより短いものとすることができるため、混合時間が長過ぎる場合に生じる前記団粒化された土粒子の崩壊を防止することができる。
【００２８】
また、前記混合物の空気搬送および吹き付けは、一般の吹付装置、例えば、長さ150mおよび内径2.5-5.0cm のホースを有するモルタルコンクリート吹付機を用いて行うことができる。付与すべき空気量および使用圧力は、例えば、１０ｍ3 ／分および７ｋｇ／ｃｍ2 である。